(57)【要約】【課題】小児が容易に開封することができず、かつ、高齢者が被収容物を容易に取り出すことができる包装体を提供する。【解決手段】本発明に係る包装体は、ＰＴＰシートと該ＰＴＰシートを外側から覆う外側カバー体とを備え、該外側カバー体はＰＴＰシートの基材側を覆うカバー部とＰＴＰシートの蓋材側を覆うベース部とを含み、前記カバー部は前記収容部が配される第１開口を有し、前記ベース部は被収容物が通過可能な第２開口を有し、第１開口と第２開口は互いに位置ずれして配されており、前記カバー部は少なくとも第１開口から第２開口の対向位置までの間に配され且つ弱化線によって区画形成された切離予定部を有し、切離予定部は前記第２開口側の側端部に摘み部を有し、前記カバー部を摘み部から第１開口に向かって弱化線に沿って切断することにより前記切離予定部が切離されてスリットが形成されるように構成されている包装体。【選択図】図３
2018203335.tif 000002
【特許請求の範囲】
【請求項１】
ＰＴＰシートと該ＰＴＰシートを外側から覆う外側カバー体とを備え、
前記ＰＴＰシートは、一面側に開口が形成され且つ内部に被収容物が収容された収容部と前記開口の周縁から延設されたフランジ部とを有するシート状の基材と、該基材の前記一面側に接着されることにより前記開口を塞いでいるシート状の蓋材とを含み、
前記外側カバー体はＰＴＰシートの基材側を覆うカバー部とＰＴＰシートの蓋材側を覆うベース部とを含み、
前記カバー部は前記収容部が配置される第１開口を有し、
前記ベース部は被収容物が通過可能な第２開口を有し、
第１開口と第２開口は互いに位置ずれして配されており、
前記カバー部は少なくとも第１開口から第２開口の対向位置までの間に配され且つ弱化線によって区画形成された切離予定部を有し、
前記切離予定部は、前記第２開口側の側端部に摘み部を有し、
前記カバー部を摘み部から第１開口に向かって弱化線に沿って切断することにより前記切離予定部が切離されてスリットが形成されるように構成されており、
前記ＰＴＰシートは、該スリットに沿ってスライド可能となっている、包装体。
【請求項２】
前記摘み部の先端部が、前記第２開口の少なくとも一部を覆うように形成されている、請求項１に記載の包装体。
【請求項３】
前記摘み部の基端側に、折り曲げやすくなるように加工された折り曲げ加工線が形成されている、請求項２に記載の包装体。
【請求項４】
前記カバー部が、少なくとも一部が弱化線によって区画形成された開口予定部を有し、
該弱化線がカットされることにより、前記外側カバー体からＰＴＰシートを取出し可能で且つ前記スリットと連続する第３開口が形成されるように構成されている、請求項１乃至３いずれかに記載の包装体。
【請求項５】
前記カバー部と前記ベース部とが、ＰＴＰシートの前記スリット及び前記第３開口を通るスライドが可能となるように非接着領域を残しつつ接着されており、
前記カバー部は、ベース部と接着されていない非接着端縁部を有し、
前記開口予定部は、前記スリットの開口縁から該非接着端縁部まで延在している、請求項４に記載の包装体。
【請求項６】
前記開口予定部が、前記第１開口側の端縁部のみに指で摘むことが可能で且つ凸片状に切り込まれることにより摘みやすく形成された第２摘み部を有する、請求項４または５いずれかに記載の包装体。
【請求項７】
前記第２摘み部の基端側に、折り曲げやすくなるように加工された折り曲げ加工線が形成されている、請求項６に記載の包装体。
【発明の詳細な説明】
【技術分野】
【０００１】
本発明は、錠剤やカプセル等の被収容物を収容する包装体に関する。
【背景技術】
【０００２】
一般的に、医薬用錠剤等の薬品、サプリメント、食品等の包装体として、プレススルーパックシート（ＰＴＰシート）とよばれる包装体が使用されている。ＰＴＰシートは、一面側に開口が形成され且つ内部に被収容物が収容された収容部と前記開口の周縁から延設されたフランジ部とを有するシート状の基材と、フランジ部の前記一面側に接着されることにより前記開口を塞いでいるシート状の蓋材とを備えている。このようなＰＴＰシートから被収容物を取り出すには、収容部を押して変形させる。それによって、内部の被収容物が蓋材を突き破り、被収容物が取り出される。
【０００３】
このようなＰＴＰシートとして、小児が容易に開封することができないよう、蓋材の強度をより大きくするなどして、チャイルドレジスタンス機能（ＣＲ機能）を持たせ、被収容物を取り出すことを難しくしているものが提案されている。
【０００４】
一方、ＣＲ機能を高めるにつれて、特に、高齢者にとっては、開封の手間が増加すると、被収容物を取り出すことが困難な場合がある。このため、ＣＲ機能を持たせつつ、高齢者が容易に被収容物を取り出すことができる包装体が求められている。
【０００５】
このような包装体として、例えば、特許文献１には、ＰＴＰシートと該ＰＴＰシートを外側から覆う外側カバー体とを備え、外側カバー体はＰＴＰシートの基材側を覆うカバー部とＰＴＰシートの蓋材側を覆うベース部とを含み、前記カバー部は前記収容部が配置される第１開口を有し、前記ベース部は第２開口を有し、第１開口と第２開口は互いに位置ずれして配されており、前記カバー部は、少なくとも第１開口から第２開口の対向位置まで延び、且つ弱化線によって区画形成された切離予定部を有し、該切離予定部は前記第１開口側端部に摘み部を有し、前記カバー部を前記摘み部から前記第２開口に向かって前記弱化線に沿って切断することにより前記切離予定部が切離されてスリットが形成される包装体が開示されている。
かかる包装体によれば、カバー部から切離予定部を分離しスリットを形成し、ＰＴＰシートをスリットに沿って第１開口から第２開口に移動させ、カバー部から露出した収容部を押して変形させることにより、被収容物が蓋材を突き破り、第２開口を通過し、被収容物を取り出すことができる。
【先行技術文献】
【特許文献】
【０００６】
【特許文献１】特表２００３−５０１３２６号公報
【発明の概要】
【発明が解決しようとする課題】
【０００７】
しかし、上記の包装体では、切離予定部に形成された摘み部と収容部が近接しているため、摘み部を手指で把持しようとするときに収容部が邪魔になり、摘み部を把持しにくい。従って、高齢者にとっては、切離予定部を分離することが困難となり、依然として容易に開封できないという問題がある。
【０００８】
本発明は、上記の事情に鑑み、小児が容易に開封することができず、かつ、高齢者が被収容物を容易に取り出すことができる包装体を提供することを課題とする。
【課題を解決するための手段】
【０００９】
本発明に係る包装体は、ＰＴＰシートと該ＰＴＰシートを外側から覆う外側カバー体とを備え、
前記ＰＴＰシートは、一面側に開口が形成され且つ内部に被収容物が収容された収容部と前記開口の周縁から延設されたフランジ部とを有するシート状の基材と、該基材の前記一面側に接着されることにより前記開口を塞いでいるシート状の蓋材とを含み、
前記外側カバー体はＰＴＰシートの基材側を覆うカバー部とＰＴＰシートの蓋材側を覆うベース部とを含み、
前記カバー部は前記収容部が配される第１開口を有し、
前記ベース部は前記被収容物が通過可能な第２開口を有し、
第１開口と第２開口は互いに位置ずれして配されており、
前記カバー部は少なくとも第１開口から第２開口の対向位置までの間に配され且つ弱化線によって区画形成された切離予定部を有し、
前記切離予定部は、前記第２開口側の側端部に摘み部を有し、
前記カバー部を摘み部から第１開口に向かって弱化線に沿って切断することにより前記切離予定部が切離されてスリットが形成されるように構成されており、
前記ＰＴＰシートは、該スリットに沿ってスライド可能となっている、包装体である。
【００１０】
かかる構成によれば、収容部に邪魔されずに摘み部を把持できる。そして、摘み部を把持し、カバー部から切離予定部を分離することにより、スリットを形成し、スリットに沿ってＰＴＰシートの収容部を第１開口から第２開口対向位置へスライドさせ、カバー部から露出した収容部を押して変形させることにより、蓋材を突き破らせて、第２開口を通過させ、被収容物を取り出すことができる。また、開封にはこのような操作を要することから、小児は容易に開封することができない。
【００１１】
また、本発明に係る包装体においては、前記摘み部の先端部は前記第２開口の少なくとも一部を覆うように形成されてもよい。
【００１２】
かかる構成によれば、摘み部が第２開口に対向するように形成されているため、手指等により摘み部をベース部側から押すことにより、摘み部をカバー部からベース部の方向に突き出させ、摘み部をより把持しやすくできる。
【００１３】
また、このように構成されている包装体においては、前記摘み部の基端側に、折り曲げやすくなるように加工された折り曲げ加工線が形成されてもよい。
【００１４】
かかる構成によれば、折り曲げ加工線で折り曲げやすくなるため、摘み部をより容易に突き出させて、把持しやすくできる。
【００１５】
また、本発明に係る包装体においては、前記カバー部は、少なくとも一部が弱化線によって区画形成された開口予定部を有し、該弱化線がカットされることにより、前記外側カバー体からＰＴＰシートを取出し可能で且つ前記スリットと連続する第３開口が形成されるように構成されてもよい。
【００１６】
かかる構成によれば、弱化線をカットすることにより第３開口が形成され、ＰＴＰシートをスライドさせて第３開口から取り出すことができる。これにより、容易にＰＴＰシートと外側カバー体を分別することができる。
【００１７】
また、本発明に係る包装体においては、前記カバー部とベース部とは、ＰＴＰシートの前記スリット及び第３開口を通るスライドが可能となるように非接着領域を残しつつ接着されており、
前記カバー部は、ベース部と接着されていない非接着端縁部を有し、
前記開口予定部は、前記スリットの開口縁から該非接着端縁部まで延在していてもよい。
【００１８】
かかる構成によれば、第３開口が非接着端縁部まで形成されるため、ＰＴＰシートの収容部をスリットから該端縁部に向かってスライドすることにより、外側カバー体からＰＴＰシートを分離することができる。これにより、より容易にＰＴＰシートと外側カバー体を分別することができる。
【００１９】
また、かかる構成の包装体においては、前記開口予定部は、第１開口側の端縁部のみに指で摘むことが可能で且つ凸片状に切り込まれることにより摘みやすく形成された第２摘み部を有する。
【００２０】
かかる構成によれば、ＰＴＰシートをスリットに沿ってスライドさせることにより、ＰＴＰシートの収容部を移動させて、第２摘み部を把持しやすい状態とすることができる。従って、高齢者でも容易に第３開口を形成することができる。一方、例えば、第２摘み部が前記非接着端縁部側に形成されている包装体と比較すると、ＰＴＰシートと外側カバー体を分離するためには、少なくともカバー部から切離予定部を分離し且つＰＴＰシートをスライドさせてから第２摘み部を把持して第３開口を形成する必要があるため、小児は容易にＰＴＰシートを外側カバー体から取り出すことができない。
【００２１】
また、本発明に係る包装体においては、前記第２摘み部の基端側に、折り曲げやすくなるように加工された折り曲げ加工線が形成されてもよい。
【００２２】
かかる構成によれば、折り曲げ加工線で折り曲げやすくなるため、第２摘み部を突き出させて、把持しやすくできる。
【発明の効果】
【００２３】
本発明によれば、小児が容易に開封することができず、かつ、高齢者が被収容物を容易に取り出すことができる包装体を提供することができる。
【図面の簡単な説明】
【００２４】
【図１】ＰＴＰシートの平面図
【図２】本発明の第１実施形態に係る外側カバー体の包装前の平面図
【図３】本実施形態に係る切離予定部分離前の包装体の概略平面図
【図４】本実施形態に係る切離予定部分離前の包装体の断面図
【図５】本実施形態に係る切離予定部分離後の包装体の概略平面図
【図６】本実施形態に係る切離予定部分離後の包装体の断面図
【図７】本実施形態に係るＰＴＰシート移動後の包装体の概略平面図
【図８】本実施形態に係るＰＴＰシート移動後の包装体の断面図
【図９】本実施形態に係る収容物取り出し時の包装体の断面図
【図１０】本発明の第２実施形態に係る包装体の概略平面図
【図１１】本実施形態に係るＰＴＰシートの第３開口移動時の概略平面図
【図１２】他の実施形態に係る包装体の概略平面図
【図１３】他の実施形態に係るＰＴＰシートの第３開口移動時の概略平面図
【発明を実施するための形態】
【００２５】
以下、図面を参照しつつ、本発明の第１実施形態に係る包装体について説明する。
【００２６】
図１乃至図４に示すように、第１実施形態の包装体は、ＰＴＰシート１とＰＴＰシート１を外側から覆う外側カバー体２とを備える。
【００２７】
ＰＴＰシート１は、図１（ａ）に示すように、一面側に開口１１が形成され且つ内部に被収容物Ａが収容されている収容部１２と開口１１の周縁から延設されているフランジ部１３とを有するシート状の基材１４と、図１（ｂ）に示すように、基材１４の前記一面側に接着されていることにより開口１１を塞いでいるシート状の蓋材１５からなる。
【００２８】
ＰＴＰシート１は、収容部１２を押圧して変形させることにより、蓋材１５を突き破らせて、内部の被収容物Ａを取り出せるように構成される。
なお、本実施形態の被収容物Ａとしては、錠剤、カプセル錠などの薬、食品などが挙げられる。
【００２９】
基材１４は、例えば、ポリエチレン、ポリプロピレン、ポリエチレンテレフタレート、ポリ塩化ビニル等の樹脂シートなどにより形成されている。
【００３０】
蓋材１５は、収容部１２の開口１１を覆うように、開口１１の周縁から延設されたフランジ部１３に接着されている。
【００３１】
蓋材１５は、被収容物Ａにより突き破ることが可能となるように構成されている。蓋材１５は、例えば、被収容物Ａによって突き破ることが可能な程度の強度を有するものであってもよい。また、蓋材１５は、被収容物Ａが蓋材１５を突き破る位置の周辺にミシン目等が形成されているものであってもよい。
【００３２】
蓋材１５の材質や厚みは、被収容物Ａの種類などに応じて適宜設定することができる。蓋材１５の材質としては、例えば、アルミニウム箔、グラシン紙、合成樹脂フィルム、またはこれらの積層体などが挙げられる。
【００３３】
開口１１は、被収容物Ａを取出し可能な大きさ及び形状であれば、特に限定されない。
【００３４】
収容部１２は、内部に被収容物Ａを収容可能であれば、大きさ及び形状は特に限定されない。
また、収容部１２を構成するシートの厚みは、特に限定されないが、例えば、０．０５ｍｍ以上０．９ｍｍ以下であってもよい。その場合には、収容部１２が適度な強度を保ちつつ、開封時に必要な変形が容易となるため好ましい。
【００３５】
フランジ部１３の厚みは、特に限定されないが、例えば、０．１ｍｍ以上１ｍｍ以下であってもよい。フランジ部１３の厚みは、収容部１２の厚みより厚くてもよく、薄くてもよい。
【００３６】
収容部１２とフランジ部１３とは、１つの部材から形成されていてもよく、複数の部材から形成されていてもよい。
【００３７】
フランジ部１３と蓋材１５とは、任意の方法で接着されていてもよい。例えば、フランジ部１３と蓋材１５とは、接着剤を介して接着されていてもよい。
また、フランジ部１３及び蓋材１５がヒートシール可能な材質である場合には、フランジ部１３と蓋材１５とは、ヒートシールにより接着されていてもよい。その場合には、フランジ部１３及び蓋材１５の材質は、同じ種類の熱可塑性樹脂材料を含んでいることが好ましい。
【００３８】
前記外側カバー体２は、ＰＴＰシート１の基材側を覆うシート状のカバー部２１とＰＴＰシート１の蓋材側を覆うシート状のベース部２２とを含む。
【００３９】
カバー部２１は、ＰＴＰシート１の収容部１２が内側に配される第１開口２３を有する。第１開口２３は、内側に配されたＰＴＰシート１の収容部１２と嵌合しうる形状及び大きさに設定されている。
【００４０】
ベース部２２は、被収容物Ａが通過可能な第２開口２４を有する。第２開口２４は、ＰＴＰシート１が落下せず且つ被収容物Ａが通過できる形状及び大きさであればよいが、ＰＴＰシート１の開口１１と同じ形状および大きさであることが好ましい。
【００４１】
第１開口２３と第２開口２４とは、互いに位置ずれして配されており、好ましくは、互いに部分的にも重複しないように形成されている。ベース部２２における第１開口２３と対向する部位は、少なくとも被収容物Ａの排出が不可能となるように閉じている。
【００４２】
カバー部２１は、少なくとも第１開口２３から第２開口２４の対向位置までの間に配され且つ弱化線２６によって区画形成されている切離予定部２５を有する。
【００４３】
弱化線２６は、切断しやすくなるように加工された線であり、好ましくは、ハーフカット、ミシン目又は部分的な切り込み等により形成されている。
【００４４】
切離予定部２５は、第２開口２４側の側端部に指で摘むことが可能な摘み部２７を有し、摘み部２７を引っぱり、カバー部２１を摘み部２７から第１開口２３に向かって弱化線２６に沿って切断することにより切離予定部２５が切離されてスリット３１が形成されるように構成されている。これにより、ＰＴＰシート１は、スリット３１に沿ってスライド可能となっている。
【００４５】
摘み部２７は、摘み部２７の先端部が第２開口２４の少なくとも一部を覆うように形成されていてもよい。この場合、好ましくは、ＰＴＰシート１は、フランジ部１３が摘み部２７の少なくとも先端部と重なり合わないように配されている。
また、この場合、好ましくは、カバー部２１は、摘み部２７を摘みやすくするための指先挿入用開口２８が摘み部２７の先端側に配されている。さらに、指先挿入用開口２８は、第２開口２４と連通している。
【００４６】
摘み部２７は、好ましくは、指で摘むことが可能となるように凸片状に形成されており、さらに好ましくは、摘み部２７の基端側に、折り曲げやすくなるように加工された折り曲げ加工線２９が形成されている。また、摘み部２７は、切り込まれていることにより形成されている必要はなく、切離予定部２５の第２開口側端縁部を摘むことが可能となるように指先挿入用開口２８を設けることにより該端縁部が摘み部として形成されていてもよい。
【００４７】
スリット３１は、第１開口２３と切離予定部２５が切離されて形成される開口とが連続することにより形成される。本実施形態においては、更に指先挿入用開口２８が連続することにより形成される。
【００４８】
スリット３１は、ＰＴＰシート１を移動させたときに、ＰＴＰシート１の開口１１が第２開口２４の対向位置に配されるように形成されている。
【００４９】
スリット３１は、好ましくは、第２開口２４と連通するように形成され、より好ましくは、ＰＴＰシート１の収容部１２を第１開口２３から第２開口２４側のスリット３１の端縁に当たるまで移動させたときに、ＰＴＰシート１の開口１１が第２開口２４に対向するように形成されている。
【００５０】
カバー部２１とベース部２２とは、例えば、紙、半厚紙及び厚紙により形成されている。また、ポリエチレン、ポリプロピレン、ポリエチレンテレフタレート、ポリ塩化ビニル等の樹脂材料などによって形成されていてもよい。
【００５１】
カバー部２１とベース部２２とは、一枚のシート部材を折り曲げることにより、区画形成されていてもよく、別々のシート部材で形成されていてもよい。これらは、互いに合掌状態で接着されていてもよい。具体的には、ＰＴＰシート１が、スリット３１に沿ってスライド可能となるように、非接着領域を残しつつ接着されていてもよい。例えば、カバー部２１とベース部２２とが互いに重複する部分の周縁部が接着されていてもよい。これらは、任意の方法、例えば、接着剤を介して接着する方法や、ヒートシールにより接着されていてもよい。
【００５２】
次に、第１実施形態に係る包装体から被収容物Ａを取り出す方法の一例について、図３乃至図９を参照しつつ説明する。
【００５３】
包装体から被収容物Ａを取り出すには、まず、図３または図４に示す包装体において、カバー部２１側から第２開口２４と指先挿入用開口２８の連通部分に手指を挿入し、若しくは、手指により摘み部２７をベース部２２側から押すことにより、摘み部２７をベース部２２からカバー部２１の方向に突き出させ、摘み部２７を把持し、切離予定部２５を分離する。これにより、図５および図６に示すように、スリット３１が形成される。続いて、図７および図８に示すように、収容部１２を第１開口２３から第２開口２４に向かって押し、ＰＴＰシート１をスリット３１に沿って、第２開口２４の上に移動させる。最後に、図９に示すように、収容部１２を手指により押圧し、収容部１２を変形させる。そうすることで、被収容物Ａで蓋材１５を突き破り、第２開口２４を通過させて、被収容物Ａを取り出すことができる。
【００５４】
第１実施形態の包装体において、摘み部２７の先端部が第２開口２４の少なくとも一部を覆うように形成されており、カバー部２１が第２開口２４と連通する指先挿入用開口２８を有している構成によれば、第２開口２４と指先挿入用開口２８が連通している部分に手指を挿入できるため、容易に摘み部２７を把持することができる。従って、高齢者がより容易にカバー部２１から切離予定部２５を切離することができる。
【００５５】
また、スリット３１が、第２開口２４と連通するように形成され且つＰＴＰシート１を第１開口２３から第２開口２４側のスリット３１の端縁に当たるまで移動させたときに、ＰＴＰシート１の開口１１が第２開口２４に対向するように形成されている構成によれば、ＰＴＰシート１は、収容部１２を第２開口２４の対向位置に移動させたとき、ＰＴＰシート１の開口１１と第２開口２４が対向位置で停止する。従って、被収容物Ａを取り出すときに、開口１１と第２開口２４とをより容易に対向する位置に合わせることができる。
【００５６】
第１実施形態の包装体によれば、公知技術の包装体と比較して、資材数の増加はない。
【００５７】
また、保管時や持ち運び時、ＰＴＰシート１の蓋材１５が露出しないため、蓋材１５の破損を防止できる。
【００５８】
さらに、本実施形態の包装体は外側カバー体２を備えているため、カバー部２１やベース部２２に被収容物Ａの服用についての注意書きや、包装体の開封方法、宣伝広告等の情報を記載することができる。
【００５９】
次に、本発明の第２実施形態に係る包装体について説明する。第１実施形態と共通する部分には同一の符号を付して説明を繰り返さない。
【００６０】
図１０に示すように、第２実施形態の包装体は、カバー部２１が、少なくとも一部が弱化線２６によって区画形成された開口予定部３２を備え、開口予定部３２は、外側カバー体２からＰＴＰシート１を折り曲げることなく取出し可能な大きさを有し且つスリット３１と連続する第３開口３３が形成されるように構成されている。
【００６１】
開口予定部３２は、端縁が弱化線２６により区画形成されていることにより、カバー部２１から分離することができるように構成されている。尚、開口予定部３２のいずれか一端縁が、折り曲げ加工線により形成されていること等により、開口予定部３２がカバー部２１から分離できないように構成されてもよい。
【００６２】
また、第２実施形態に係る包装体においては、カバー部２１とベース部２２とは、ＰＴＰシート１のスリット３１及び第３開口３３を通るスライドが可能となるように非接着領域を残しつつ接着されている。好ましくは、カバー部２１はベース部２２と接着されていない非接着端縁部３４を有している。好ましくは、それ以外の周端縁部の少なくとも一部は、ベース部２２に接着された接着端縁部３７となっている。本実施形態においては、具体的には、カバー部２１とベース部２２とは、非接着端縁部３４以外の全ての周端縁部が接着されている。
前記開口予定部３２は、スリット３１の開口縁から非接着端縁部３４まで延在している。
【００６３】
第３開口３３は、開口予定部３２の弱化線２６が切断されることにより形成される開口と該開口に連続する非接着端縁部３４とで形成される。
【００６４】
非接着端縁部３４は、少なくとも内側に配されているＰＴＰシート１より大きい幅を有し、ＰＴＰシート１が第３開口３３を通過可能となるように形成されている。
【００６５】
また、第２実施形態の包装体においては、開口予定部３２が、第１開口側の端縁部のみに指で摘むことが可能で且つ凸片状に切り込まれることにより摘みやすく形成された第２摘み部３５を有する。
【００６６】
さらに、第２実施形態の包装体においては、第２摘み部３５の基端側に、折り曲げやすくなるように加工された折り曲げ加工線３６が形成されている。
【００６７】
第２実施形態の包装体によれば、第１実施形態と同様に、切離予定部２５を切離してＰＴＰシート１をスリット３１に沿って第２開口２４側にスライドさせることにより、ＰＴＰシート１の収容部１２を移動させて、第２摘み部３５を把持しやすい状態とすることができる。また、第２摘み部３５を把持し、弱化線２６をカットすることにより第３開口３３が形成され、図１１に示すように、ＰＴＰシート１の収容部１２をスリット３１から非接着端縁部３４に向かってスライドすることにより、外側カバー体２からＰＴＰシート１を分離することができる。これにより、ＰＴＰシート１と外側カバー体２を分別することができる。
【００６８】
なお、本発明に係る包装体は、上記実施形態の構成に限定されるものではない。
また、本発明に係る包装体の作用効果は、上記した作用効果に限定されるものでもない。本発明に係る包装体は、本発明の要旨を逸脱しない範囲で種々の変更が可能である。
【符号の説明】
【００６９】
１：ＰＴＰシート、Ａ：被収容物、１１：開口、１２：収容部、１３：フランジ部、１４：基材、１５：蓋材、２：外側カバー体、２１：カバー部、２２：ベース部、２３：第１開口、２４：第２開口、２５：切離予定部、２６：弱化線、２７：摘み部、２８：指先挿入用開口、２９：折り曲げ加工線、３０：折り曲げ加工線、３１：スリット、３２：開口予定部、３３：第３開口、３４：非接着端縁部、３５：第２摘み部、３６：折り曲げ加工線、３７：接着端縁部
【図１】
2018203335.tif 000003
【図２】
2018203335.tif 000004
【図３】
2018203335.tif 000005
【図４】
2018203335.tif 000006
【図５】
2018203335.tif 000007
【図６】
2018203335.tif 000008
【図７】
2018203335.tif 000009
【図８】
2018203335.tif 000010
【図９】
2018203335.tif 000011
【図１０】
2018203335.tif 000012
【図１１】
2018203335.tif 000013
【図１２】
2018203335.tif 000014
【図１３】
2018203335.tif 000015